(57)【要約】【課題】  本発明は雨具に関し、袖口からの確実な水の浸入防止を可能とした雨具を提供することを目的とする。【解決手段】  請求項１に係る発明は、袖口部の内側に、周方向に延びる止水用の突部を設けると共に、該突部を、前記袖口部よりも硬質の材料で形成したことを特徴とする。  そして、請求項２に係る発明は、請求項１に記載の雨具に於て、前記袖口部に、該袖口部を締め付ける締付けベルトを取り付けたことを特徴とし、請求項３に係る発明は、請求項２に記載の雨具に於て、前記締付けベルトは、前記突部を設けた位置の外側を覆って該袖口部を締め付けることを特徴とする。更に、請求項４に係る発明は、請求項１乃至請求項３のいずれか１項に記載の雨具に於て、前記突部は、複数並列されていることを特徴とする。【選択図】    図２
2009007729.tif 000002
【特許請求の範囲】
【請求項１】
袖口部の内側に、周方向に延びる止水用の突部を設けると共に、該突部を、前記袖口部よりも硬質の材料で形成したことを特徴とする雨具。
【請求項２】
前記袖口部に、該袖口部を締め付ける締付けベルトを取り付けたことを特徴とする請求項１に記載の雨具。
【請求項３】
前記締付けベルトは、前記突部を設けた位置の外側を覆って該袖口部を締め付けることを特徴とする請求項２に記載の雨具。
【請求項４】
前記突部は、複数並列されていることを特徴とする請求項１乃至請求項３のいずれか１項に記載の雨具。
【発明の詳細な説明】
【技術分野】
【０００１】
本発明は、袖口から雨水が浸入することを防止した雨具（雨衣）に関する。
【背景技術】
【０００２】
保温性及び袖口からの雨水の浸入防止を図る目的で、従来から雨具に関し、様々な提案がなされており、例えば、袖本体よりも小径な筒状の袖口部材を袖本体の先端部に縫着して、手首に袖口部材をフィットさせる等の方法が広く知られている。
【０００３】
しかし、斯様に袖口部材を手首にフィットさせても、袖口部材が濡れて袖本体内に水が浸入してしまうことがあり、また、袖口部材を防水性材料で形成していても、例えば、雨天での魚釣り等、袖口を上に向ける動作をすると、使用環境の厳しい過酷な条件下では、袖口部材と手首との間から水が染み込んできてしまうのが実情であった。
【０００４】
また、図１７に示すように特許文献１には、小径な筒状の袖口部材１を先端部に縫着した袖本体３内に、帯状の非吸水性樹脂テープ５をその内周面に沿って貼着して、袖本体３内への雨水の浸入防止を図った釣り用ウェア７が開示されている。
【特許文献１】特開２００３−２２１７１１号公報
【発明の開示】
【発明が解決しようとする課題】
【０００５】
しかし乍ら、前記非吸水性樹脂テープ５は釣人の腕に接しない構造上、袖口部材１と手首との間から染み込んだ水が、釣人の動きにより非吸水性樹脂テープ５を超えて袖本体３の奥へと浸入してしまう虞があり、また、袖本体３内に非吸水性樹脂テープ５を貼着しても、袖口から浸入した水は、袖本体３に達すると今度は衣服の袖に染み込んで、衣服の袖を伝って奥へ浸入するため、完全な防水を図ることができなかった。
【０００６】
本発明は斯かる実情に鑑み案出されたもので、袖口からの確実な水の浸入防止を可能とした雨具を提供することを目的とする。
【課題を解決するための手段】
【０００７】
斯かる目的を達成するため、請求項１に係る発明は、袖口部の内側に、周方向に延びる止水用の突部を設けると共に、該突部を、前記袖口部よりも硬質の材料で形成したことを特徴とする。
【０００８】
そして、請求項２に係る発明は、請求項１に記載の雨具に於て、前記袖口部に、該袖口部を締め付ける締付けベルトを取り付けたことを特徴とし、請求項３に係る発明は、請求項２に記載の雨具に於て、前記締付けベルトは、前記突部を設けた位置の外側を覆って該袖口部を締め付けることを特徴とする。更に、請求項４に係る発明は、請求項１乃至請求項３のいずれか１項に記載の雨具に於て、前記突部は、複数並列されていることを特徴とする。
【発明の効果】
【０００９】
各請求項に係る発明によれば、袖口部の内側に設けた止水用の突部が手首の表面に食い込んで、袖口部からの確実な雨水の浸入防止が可能となった。
【００１０】
そして、請求項２及び請求項３によれば、締付けベルトの締付力によって突部が手首の表面に食い込むため、袖口部からの更に確実な雨水の浸入防止が可能となり、また、請求項４に係る発明の如く突部を複数並列させると、更により確実な雨水の浸入防止を図ることができる。
【発明を実施するための最良の形態】
【００１１】
以下、本発明の実施形態を図面に基づいて詳細に説明する。
【００１２】
図１は請求項１乃至請求項４の第一実施形態に係る雨具を示し、該雨具（雨衣）１１は、左右の袖１３，１５が肩口に縫着された雨具本体１７と、雨具本体１７の上部に取り付くフード１９とを備え、雨具１１はナイロン等の柔らかな防水布で形成されている。また、雨具本体１７の前身頃２１に、スライドファスナ等の開閉具（図示せず）が上下に亘って取り付けられており、この開閉具の操作で前身頃２１を開閉して、雨具１１を着たり脱いだりできる。
【００１３】
そして、左右の袖１３，１５の先端に、夫々、該袖１３，１５より小径な筒状の袖口部２３，２５が縫着されており、雨具１１を着ると袖１３，１５の先端に衣服の袖が配され、袖口部２３，２５に手首２７を通すことが可能になっている。尚、左右の袖口部２３，２５は左右対称な構造であるため、以下、右側の袖１３に縫着された袖口部２３の構造を、図２乃至図７に基づき説明する。
【００１４】
袖口部２３は、クロロプレンゴム等のゴムやポリウレタン等の合成樹脂シート材、またはこれらの表面にナイロン等の布を貼着した材料を用いて、折り曲げが可能で防水性，伸縮性を持たせて形成されている。そして、図２及び図３に示すように袖口部２３には、手首２７の親指２９と人差し指３１との間に該当する位置（上側位置）に、Ｖ字状の切り込み部３３が袖口Ｓから長手方向に形成されており、該切り込み部３３は屈曲可能な布３４で覆われている。
【００１５】
また、袖口部２３の外周には、前記切り込み部３３を跨いで周方向に延びる帯状の締付けベルト３５の一端側が止着されて取り付けられており、その先端側裏面に雄型面ファスナーを貼着して係止部３７が形成されている。後述するようにこの締付けベルト３５は、袖口部２３を内周方向（手首２７の方向）へ押圧する押圧手段として機能するもので、前記袖１３と同一材料等、袖口部２３より伸びの小さい材料で形成されている。
【００１６】
更に、袖口部２３の外周に、前記係止部３７が係止する係合部３９が形成されており、図２及び図５に示すように該係合部３９は、雌型面ファスナーを袖口部２３の全周の略３／４程度に亘って周方向に貼着して設けられている。そして、図５の矢印方向へ締付けベルト３５の裏面（内側）を袖口部２３の外周に当てて巻回し、その係止部３７を係合部３９に止着させると、締付けベルト３５が袖口部２３を外周側から内方（手首２７の方向）へ押圧して袖口部２３を適度に締め付け、袖口部２３の内側を手首２７に当接させた状態で保持するようになっている。
【００１７】
一方、図２乃至図７に示すようにシート材を筒状にして内側が平面状の袖口部２３の先端側内面には、その周方向に壁状に連続して延び、袖口部２３の内方（手首２７方向）へ突出する止水用の突部４１が複数並列して５重に設けられている。
【００１８】
これらの突部４１は、袖口部２３を形成する材料より硬質の材料、例えばナイロンやポリプロピレン等の合成樹脂を用いて、上端側（先端側）が袖口部２３に止着した下端側よりも幅が狭くなるように形成された例えば断面三角形状や断面台形形状，断面半円形状等に形成されており、軟化させた該材料を一つずつ凸状に付着させた状態で硬化させており、該突部４１は非吸水性である。
【００１９】
尚、一例として突部４１は０．５〜５．０ｍｍ程度の高さに形成されて１．０〜５．０ｍｍ程度の幅を有し、また、各突部４１は０．５〜２０．０ｍｍ程度の間隔（溝４１ａ）を空けて配置されている。そして、図３及び図５に示すようにこれらの突部４１は、前記切り込み部３３に対向して、手首２７の小指４３側に該当する位置（下側位置）を中心に、袖口部２３の内側を半周程度に亘って連続して形成されている。但し、これらの突部は袖口部２３の内側を１周または、一つの突部を複数周に亘って連続して設けてもよい。
【００２０】
そして、既述したように締付けベルト３５の係止部３７を袖口部２３の係合部３９に止着させて、袖口部２３を締付けベルト３５で締め付けることができるが、締付けベルト３５は、袖口部２３の内側の周方向に延設した前記突部４１に対応する袖口部２３の外側を覆うことができる長さとされており、図４の如く切り込み部３３の両縁部３３ａ，３３ｂを重ね合わせて袖口部２３を締付けベルト３５で強く締め付けると、図６に示すように、締付けベルト３５の締付力と袖口部２３の伸縮性によって袖口部２３の内側が手首２７に沿って密着するように当接して手首２７を覆い、袖口部２３の内側に突設した突部４１は袖口部２３よりも硬質の材料で形成したので、各突部４１が手首２７に向けて押圧されてその表面に食い込み、袖口部２３からの雨水の浸入を防止することができるようになっている。
【００２１】
また、図３の如く切り込み部３３の両縁部３３ａ，３３ｂを付き合わせて袖口部２３を締付けベルト３５で軽く締め付けると、各突部４１が手首２７の表面に軽く当接するようになっており、これによって袖口部２３から風が袖１３の中に入らないようにすることができるようになっている。
【００２２】
本実施形態はこのように構成されているから、例えば前記雨具１１を着た釣人が、図３の如く切り込み部３３の両縁部３３ａ，３３ｂを付き合わせて袖口部２３を締付けベルト３５で軽く締め付ければ、袖口部２３の内側に取り付く各突部４１が手首２７の表面に軽く当接して、袖口部２３からの風の侵入を防止する。
【００２３】
そして、雨天時に、図４の如く切り込み部３３の両縁部３３ａ，３３ｂを重ね合わせて袖口部２３を締付けベルト３５で強く締め付ければ、図６に示すように締付けベルト３５の締付力で各突部４１が手首２７の表面に食い込んで、袖口部２３からの雨水の浸入を防止する。そして、突部４１は複数、袖口Ｓ側からその奥の袖１３側に並列され、而も、複数の突部４１の夫々の先端側の間は離れて間隔を有しているため、水が袖口部２３に最も近い突部４１を越えても、各突部４１間の溝４１ａに保持され、この結果、更に袖口部２３の奥に設けた突部４１で再び水の浸入が阻止されることとなって雨水の浸入を確実に防止する。
【００２４】
このように本実施形態は、袖口部２３に設けた締付けベルト３５の締め付けにより、袖口部２３の内側に設けた止水用の突部４１を手首２７に食い込ませるように構成したので、従来に比し、袖口部２３からの確実な雨水の浸入防止が可能となった。
【００２５】
そして、突部４１が複数並設されているため、突部４１に押圧された手首２７の表面がうねって波状になって、水が手首２７に沿って肘（袖１３）の方へ伝わり難くなる。
【００２６】
また、特に釣りの場合、図４の如く釣竿４５を握ると小指４３側が下になるため、小指４３側から袖口部２３へと滴が多く流れるが、既述したように本実施形態は、突部４１を、手首２７の小指４３側に該当する位置を中心に袖口部２３の内側を半周程度に亘って連続して複数並設したので、袖口部２３からの雨水の浸入防止が適確に図られることとなる。
【００２７】
尚、突部４１は袖口部２３の内側の少なくとも１／４周以上に亘る長さで設けることで、少なくとも手首の下側（小指側）を覆う程度にするとよい。また、図６のように、袖口Ｓから水が入らないようにするため、突部４１は内方へ突出させて袖口部２３の開口縁に沿って該袖口部２３の周方向に設けるとよい。更にまた、突部４１は、袖口部２３の開口縁側から奥側の袖１３側へ複数並設されていることが好ましく、２重に並設してもよい。
【００２８】
そして、図７に示すように前記実施形態は、ナイロンやポリプロピレン等の合成樹脂を用いて、５本の突部４１を一つずつ凸状に袖口部２３の内側に付着，硬化させて設けたが、図８及び図９に示す請求項１乃至請求項４の第二実施形態に係る雨具は、前記突部４１と同程度の高さ及び長さからなる複数の断面矩形状の突部４１-1が等間隔で並列し、突部４１-1間に溝４１ａ-1を有する帯状部材４７を前記突部４１と同一材料で一体形成して、これを袖口部２３の内周に沿って周方向へ前記突部４１と同じ取付位置に接着，溶着，縫着等で取り付けたものである。この結果、前記突部４１と同様、突部４１-1は袖口部２３の内周に沿って周方向へ配置され、内方へ突出している。そして、突部４１-1は下端側から先端側に同じ幅で形成され、０．５〜５．０ｍｍの幅に形成されている。尚、その他の構成は図１の実施形態と同様であるので、同一のものには同一符号を付してそれらの説明は省略する。
【００２９】
而して、本実施形態によっても、図示しない切り込み部３３の両縁部３３ａ，３３ｂを重ね合わせて、袖口部２３を締付けベルト３５で強く締め付ければ、図８に示すように締付けベルト３５の締付力で各突部４１-1が手首２７の表面に食い込むため、前記本実施形態と同様、所期の目的を達成することが可能で、袖口部２３からの確実な雨水の浸入防止を図ることができる。
【００３０】
また、図１０及び図１１は請求項１乃至請求項４に係る雨具の第三実施形態を示し、本実施形態は、前記帯状部材４７の取付位置（袖口部２３の先端側内周）に凹部４９を設けて、該凹部４９内に帯状部材４７を装着したもので、突部４１-1は凹部４９から突出していない状態に設定されている。そして、既述した図３と同様、図１０の如く締付けベルト３５で袖口部２３を軽く締め付けると、突部４１-1が手首２７の表面に触れないか、または触れても手首２７を押圧しないように構成されている。
【００３１】
そして、図４と同様、図１１の如く締付けベルト３５で袖口部２３を強く締め付けると、袖口部２３が押圧されて変形し、突部４１-1が凹部４９から突出して、手首２７の表面に食い込むようになっている。尚、その他の構成は図１の実施形態と同様であるので、同一のものには同一符号を付してそれらの説明は省略する。
【００３２】
このように本実施形態も、締付けベルト３５で袖口部２３を強く締め付けると、袖口部２３の内側に取り付けた突部４１-1が手首２７の表面に食い込むように構成したので、既述した各実施形態と同様、袖口部２３からの確実な雨水の浸入防止が可能となった。
【００３３】
また、本実施形態は、突部４１-1が凹部４９から突出していない状態に帯状部材４７を装着して、図１０の如く締付けベルト３５で袖口部２３を軽く締め付けたとき、突部４１-1が手首２７の表面に触れないか、または触れても手首２７を押圧しないように構成したので、突部４１-1による不要な押圧がなくなって手首２７が疲れず、手首２７に優しい利点を有する。
【００３４】
図１２及び図１３は請求項１，請求項２及び請求項４に係る雨具の一実施形態を示し、本実施形態は、袖口部２３-1を前記切り込み部３３を有しない一体的な筒状に形成すると共に、締付けベルト３５-1を前記締付けベルト３５よりも短く形成して、これを突部４１の外側を覆わずに設けたもので、図１の実施形態に比し複数の突部４１は、手首の小指側に該当する位置を中心に、袖口部２３-1-1の内側の４／５周程度に亘って周方向へ長尺に形成されている。
【００３５】
そして、締付けベルト３５-1は袖口部２３-1-1の外周の１／４程度を覆う長さに形成されて、前記突部４１の取付位置に対向して袖口部２３-1-1の外周に取り付けられている。また、袖口部２３-1-1の外周には、雌型面ファスナーを貼着して係合部３９が設けられており、図１３の如く締付けベルト３５-1を矢印方向へ巻回させ乍ら、該締付けベルト３５-1で袖口部２３-1-1を同方向へ強く引っ張って、その先端の係止部３７を係合部３９に止着すると、突部４１が手首の表面に食い込むようになっている。尚、本実施形態に於ても、その他の構成は図１の実施形態と同様であるので、同一のものには同一符号を付してそれらの説明は省略する。
【００３６】
このように本実施形態は、図１３の如く締付けベルト３５-1を矢印方向（筒状の袖口部２３-1の周方向）へ巻回させ乍ら、該締付けベルト３５-1で袖口部２３-1を同方向へ強く引っ張って、その先端の係止部３７を係合部３９に止着すれば、袖口部２３-1が内方（手首方向）に押圧されて突部４１が手首の表面に食い込むように構成したので、締付けベルト３５が突部４１の外側を覆って締め付けた図１の実施形態に準じて、袖口部２３-1からの確実な雨水の浸入防止が図れることとなる。
【００３７】
図１４乃至図１６は請求項１乃至請求項４に係る雨具の第四実施形態を示し、図中、２３-2は前記袖口部２３-1と同様、切り込み部を有しない一体的な筒状に形成された袖口部で、図１６に示すように本実施形態は、該袖口部２３-2の内側に、前記突部４１と同一材料，同一断面形状からなる１本の突部４１-2を袖口部２３-2の袖口Ｓから奥（袖１３方向）へ周方向に螺旋状に延設して、該突部４１-2を複数並列させたもので、一例として本実施形態は突部４１-2を５重に並列させている。
【００３８】
而して、前記突部４１-2も、軟化させた材料を凸状に付着させた状態で硬化させて形成されており、該突部４１-2は非吸水性で、一例として０．５〜５．０ｍｍ程度の高さに形成されて１．０〜５．０ｍｍ程度の幅を有し、また、各突部４１-2は０．５〜２０．０ｍｍ程度の間隔（溝４１ａ-2）を空けて配置されている。
【００３９】
一方、袖口部２３-2の上側外周、即ち、手首の親指と人差し指との間に該当する位置の近傍に、前記締付けベルト３５と同一材料，同一幅からなる締付けベルト３５-2の一端側が止着されて取り付けられており、その自由端側（先端側）表面に雄型面ファスナーを貼着して係止部３７が形成されている。
【００４０】
更に、袖口部２３-2の外周には、袖口Ｓに沿って前記締付けベルト３５-2よりも幅広な帯状のベルト５１を折り返して端部を止着させて形成した保持部材５３が、締付けベルト３５-2の自由端側に接着や縫着等で取り付けられており、該保持部材５３に、前記締付けベルト３５-2が挿通可能な略矩形状のリング５５が保持されている。
【００４１】
また、締付けベルト３５-2を挟んで前記保護部材５３と反対側（締付けベルト３５-2の止着側）の袖口部２３-2の外周に、雌型面ファスナーを貼着して係合部３９が設けられており、図１４及び図１５に示すように締付けベルト３５-2を前記リング５５の下方から該リング５５挿通させて、該締付けベルト３５-2を係合部３９方向へ反転させ乍ら引っ張ると、締付けベルト３５-2を挟んだ袖口部２３-2の左右両側が上方へ引かれて袖口部２３-2が絞られて締め付けられ、この結果、手首の表面（特に手首の下側表面）に前記突部４１-2が食い込むようになっている。そして、適度な締め付け状態で、先端の係止部３７を係合部３９に止着すればよい。尚、その他の構成は図１の実施形態と同様であるので、同一のものには同一符号を付してそれらの説明は省略する。
【００４２】
本実施形態はこのように構成されているから、図１４及び図１５に示すように、締付けベルト３５-2をリング５５の下方から挿通させて該締付けベルト３５-2を係合部３９方向へ反転させ乍ら引っ張れば、袖口部２３-2の左右両側が上方へ引かれて袖口部２３-2が締め付けられるため、手首の表面（特に、下側表面）に突部４１-2が食い込んで袖口部２３-2からの確実な雨水の浸入防止が図れることとなる。
【００４３】
また、本実施形態は、前記締付けベルト３５-2とリング５５を袖口部２３-2の上側に設けたので、締付けベルト３５-2をリング５５に挿通させて袖口部２３-2を締め付ける際に袖口部２３-2の左右両側が上方へ引かれるため、袖口部２３-2が手首回りに回ってしまうことがない。
【００４４】
このように本実施形態によっても、既述した各実施形態と同様、袖口部２３-2からの確実な雨水の浸入防止が図れる利点を有する。
【００４５】
また、既述したように本実施形態によれば、締付けベルト３５-2をリング５５に挿通させて袖口部２３-2を締め付ける際に、袖口部２３-2が手首回りに回ってしまうことがないため、既述した各実施形態に比し突部４１-2を手首の下側に当ててそのまま上方に押圧し易くなり、突部４１-2を手首の下側に正確に当てることができる利点を有する。
【００４６】
尚、既述した各実施形態は、袖口部２３，２３-1，２３-2への締付けベルト３５，３５-1，３５-2の締付力を利用して突部４１，４１-1，４１-2を手首２７に食い込ませたが、クロロプレンゴム等のゴムやポリウレタン等の合成樹脂シート材等で形成した図１２，ず１４の袖口部２３-1，２３-2の伸縮性を利用して、突部４１，４１-1，４１-2を手首２７に食い込ませるようにしてもよい。
【図面の簡単な説明】
【００４７】
【図１】請求項１乃至請求項４の第一実施形態に係る雨具の正面図である。
【図２】袖口部の拡大斜視図である。
【図３】袖口部の拡大斜視図である。
【図４】袖口部の拡大斜視図である。
【図５】袖口部の断面図である。
【図６】袖口部の断面図である。
【図７】袖口部の内側の拡大斜視図である。
【図８】請求項１乃至請求項４の第二実施形態に係る雨具の袖口部の断面図である。
【図９】袖口部の内側の拡大斜視図である。
【図１０】請求項１乃至請求項４の第三実施形態に係る雨具の袖口部の断面図である。
【図１１】袖口部の断面図である。
【図１２】請求項１，請求項２及び請求項４の一実施形態に係る雨具の袖口部の拡大斜視図である。
【図１３】袖口部の断面図である。
【図１４】請求項１乃至請求項４の第四実施形態に係る雨具の袖口部の拡大斜視図である。
【図１５】袖口部の断面図である。
【図１６】袖口部の断面図である。
【図１７】従来の雨具の要部拡大断面図である。
【符号の説明】
【００４８】
１１  雨具
１３，１５  袖
１７  雨具本体
２３，２３-1，２３-2，２５  袖口部
２７  手首
３３  切り込み部
３５，３５-1，３５-2  締付けベルト
３７  係止部
３９  係合部
４１，４１-1，４１-2  突部
４７  帯状部材
４９  凹部
５３  保持部材
５５  リング
【図１】
2009007729.tif 000003
【図２】
2009007729.tif 000004
【図３】
2009007729.tif 000005
【図４】
2009007729.tif 000006
【図５】
2009007729.tif 000007
【図６】
2009007729.tif 000008
【図７】
2009007729.tif 000009
【図８】
2009007729.tif 000010
【図９】
2009007729.tif 000011
【図１０】
2009007729.tif 000012
【図１１】
2009007729.tif 000013
【図１２】
2009007729.tif 000014
【図１３】
2009007729.tif 000015
【図１４】
2009007729.tif 000016
【図１５】
2009007729.tif 000017
【図１６】
2009007729.tif 000018
【図１７】
2009007729.tif 000019